(57)【特許請求の範囲】
【請求項１】
Ｈ型鋼等の主構成材（２）のフランジ（２ａ）にランナー等の長尺副構成材（３）を取り付けるための建築用主構成材に対する長尺副構成材の取付治具であって、前記主構成材（２）のフランジ内面（２ｂ）に掛止する一対の掛止部（１１，２１）と、前記主構成材（２）のフランジ外面（２ｃ）に接当する一対の接当部（１２，２２）と、前記長尺副構成材（３）を取り付けるための取付部（１５，２５）とを備え、前記一対の掛止部（１１，２１）の間に前記フランジ（２ａ）を挿入可能で且つこのフランジ内面（２ｂ）又は外面（２ｃ）に対する交差軸（Ｐ）周りでの相対回転によりこのフランジ（２ａ）に対して前記接当部（１２，２２）を接当させると共に前記掛止部（１１，２１）を掛止させて連結可能であり、このフランジ（２ａ）への連結状態において前記取付部（１５，２５）を前記フランジ外面（２ｃ）から離隔させてある建築用主構成材に対する長尺副構成材の取付治具。
【請求項２】
前記フランジ外面（２ｃ）への対向視（Ｄ）において前記フランジ（２ａ）に対する時計周り方向（Ｒ）への回転でこのフランジ（２ａ）に連結可能である請求項１に記載の建築用主構成材に対する長尺副構成材の取付治具。
【請求項３】
前記掛止部（１１，２１）の一部を前記接当部（１２，２２）側に突出させることで前記フランジ内面（２ｂ）に接当する突起（１４，２４）を形成してある請求項１又は２のいずれかに記載の建築用主構成材に対する長尺副構成材の取付治具。
【請求項４】
前記掛止部（１１，２１）又は前記接当部（１２，２２）と前記取付部（１５，２５）との間に壁際材等の他の長尺副構成材（４）を取り付けるための側部（１６，１６，２６，２６）を設けてある請求項１〜３のいずれかに記載の建築用主構成材に対する長尺副構成材の取付治具。
【請求項５】
板材の各端部に前記掛止部（１１，２１）と前記接当部（１２，２２）とをそれぞれ形成し、この板材をチャンネル状に折り曲げてチャンネルの底部に前記取付部（１５，２５）を形成してある請求項１〜４のいずれかに記載の建築用主構成材に対する長尺副構成材の取付治具。
【発明の詳細な説明】
【０００１】
【発明の属する技術分野】
本発明は、Ｈ型鋼等の主構成材のフランジにランナー等の長尺副構成材を取り付けるための建築用主構成材に対する長尺副構成材の取付治具に関する。
【０００２】
【従来の技術】
従来、集合住宅やビルディングにおいて梁等の主構成材をなすＨ型鋼にランナーを取り付けるに当たっては、ランナー及びＨ型鋼のフランジにあらかじめ孔を開口し、ボルトを貫通させてナットで締め付けるような工程を必要としていた。
【０００３】
しかし、肉厚のフランジに貫通孔を開孔するには手数が掛かり、また、ボルトナットの貫通操作と締付操作を行わねばならず、作業効率が非常に悪かった。また、主構成材に開口するのであるから、主構成材の強度低下を来して、建築物の耐久性を劣化させる恐れもある。
【０００４】
そこで、上述のフランジに折り爪を折り曲げることでフランジに開孔せずにランナーを取り付けることのできる取付治具が提案されている。この取付治具は、フランジの縁部から下方に向かって突出する一対の突出片間にランナーを介在させ、ネジを側方から貫通させて螺合させることで、ランナーを取り付けることが可能である。
【０００５】
しかし、同取付治具によれば、治具自体をフランジに連結する際に複数個の爪を確実に折り曲げなければならないので、その連結作業が未だ煩雑であった。また、ランナーの取り付けに使用するネジの頭が側方に突出するので、壁材のネジ頭に相当する部分を削らねばならず、煩雑であった。
【０００６】
【発明が解決しようとする課題】
かかる従来の実情に鑑みて、本発明は、工事における作業性の優れた建築用主構成材に対する長尺副構成材の取付治具を提供することを目的とする。
【０００７】
【課題を解決するための手段】
上記目的を達成するため、本発明に係る建築用主構成材に対する長尺副構成材の取付治具の特徴は、Ｈ型鋼等の主構成材のフランジにランナー等の長尺副構成材を取り付けるための構成であって、前記主構成材のフランジ内面に掛止する一対の掛止部と、前記主構成材のフランジ外面に接当する一対の接当部と、前記長尺副構成材を取り付けるための取付部とを備え、前記一対の掛止部の間に前記フランジを挿入可能で且つこのフランジ内面又は外面に対する交差軸周りでの相対回転によりこのフランジに対して前記接当部を接当させると共に前記掛止部を掛止させて連結可能であり、このフランジへの連結状態において前記取付部を前記フランジ外面から離隔させたことにある。
【０００８】
通常、ねじは右回転により螺合されるように構成されているので、前記フランジ外面への対向視において前記フランジに対する時計周り方向への回転でこのフランジに連結可能であるように前記掛止部と接当部とを配置することが望ましい。
【０００９】
前記掛止部の一部を前記接当部側に突出させることで前記フランジ内面に接当する突起を形成することで、回転による治具の取付が容易となる。
【００１０】
また、前記掛止部又は前記接当部と前記取付部との間に壁際材等の他の長尺副構成材を取り付けるための側部を設けてもよい。
【００１１】
本取付治具を製造するにあたっては、板材の各端部に前記掛止部と前記接当部とをそれぞれ形成し、この板材をチャンネル状に折り曲げてチャンネルの底部に前記取付部を形成すると工程が簡易となる。
【００１２】
【発明の効果】
このように、上記本発明の上記特徴によれば、建築用主構成材のフランジに対して回転させることにより連結できると共に、同フランジ等に対して下側又は上側からランナー等を取り付けることができて、工事における作業性の優れた建築用主構成材に対する長尺副構成材の取付治具を提供することが可能となった。
【００１３】
【発明の実施の形態】
次に、添付図面を参照しながら、本発明をさらに詳しく説明する。
本発明の第一実施例は、図１〜４に示すように、集合住宅等における梁等の主構成部材をなすＨ型鋼２の下側にランナー３を取り付けるための取付治具１０として例示されている。図２の梁周辺部下地構造１において、この取付治具１０は長尺であるＨ型鋼２の下側に長手方向に対して間隔をおいて連結されている。そして、各取付治具１０の取付部１５に対して長尺のランナー３が取付ねじ５により締付固定されている。後述する第二実施例の如く下方にも同様のランナー３が配置されており、上下一対のランナー３，３間にスタッド６が取り付けられ、石膏ボード等の壁材７がネジによりスタッドに固定される。壁の上端にはランナー３のフランジ部に取付ねじ５を介して長尺の天井用壁際材４が同じく固定されている。この天井用壁際材４には天井材取付用の野縁９が固定される。
【００１４】
上述のＨ型鋼２は断面Ｈ型を呈し、中央のウエブ２ｄ上下にそれぞれフランジ２ａ，２ａを有している。取付治具１０は各端部にフランジ内面２ｂへの掛止部１１とフランジ外面２ｃへの接当部１２とをそれぞれ有する亜鉛メッキ鋼板等よりなる板材をチャンネル状に折り曲げてその底部にランナー３取り付け用の取付部１５を形成してある。各掛止部１１，１１と接当部１２，１２とはＨ型鋼２への連結時における回転の中心となるフランジ内外面２ｂ、２ｃにほぼ直交する交差軸Ｐについてそれぞれ対角に並べてある。すなわち、各側部１６毎に掛止部１１と接当部１２とを一つずつ設けてあり、取付治具１０のＨ型鋼２長手方向に対する一端側に掛止部１１と接当部１２とがそれぞれ位置するように構成してある。
【００１５】
フランジ外面２ｃに接当する接当部１２の上面はフランジ内面２ｂに掛止する掛止部１１の下面よりもより取付部１５へ近くに位置させてある。また、各掛止部１１の上面から凹部１４ａの部分を下方に押圧することで掛止部１１の下面に突出する突起１４を２箇所形成してある。そして、突起１４の下端と接当部１２の上端との間隔をフランジ２ａの厚みよりも小さくすることで、フランジ２ａに対して取付治具１０をその弾性変形により充分しっかりと連結できるように構成してある。
【００１６】
掛止部１１，１１の対向部に切欠部１３，１３をそれぞれ形成してある。そして、図４に示すように、フランジ２ａに対する平面視でＨ型鋼２とフランジ２ａとが交差する状態では、切欠部１３を設けたことによって掛止部１１，１１間をフランジ２ａが通過して接当部１２の上面に接当することが可能となっている。また、図１、図４に示すように、フランジ内面２ｂへの対向視Ｄにおいて、Ｈ型鋼２に対して時計周り方向Ｒへ取付治具１０を回転させることで、接当部１２，１２をフランジ外面２ｃに接当させると共に掛止部１１，１１及び突起１４をフランジ内面２ｂに掛止させ、Ｈ型鋼２の下面に取付治具１０を連結することが可能である。
【００１７】
ここで、上述の取付治具１０を用いた施工手順について説明する。
まず、Ｈ型鋼２の下側のフランジ２ａを先の切欠部１３，１３間を通過させるように、取付治具１０をＨ型鋼２に対してフランジ外面２ｃへの対向視Ｄ方向に上昇させる。そして、取付治具１０をフランジ外面への対向視Ｄで時計周り方向Ｒに回転させて、掛止部１１，１１及び突起１４をフランジ内面２ｂに掛止させ、取付治具１０をフランジ２ａに連結する。
【００１８】
次いで、ランナー３を取付部１５に接当させ、下方から上方に向かって取付ねじ５を押し当てて同じく時計周り方向Ｒに回転させ、取付ねじ５の先端部によりランナー３，取付部１５に貫通孔を形成しつつ双方に取付ねじ５を螺合させる。フランジ２ａに対する取付治具１０の連結時の回転方向と取付ねじ５の螺合方向とが共に時計周り方向Ｒであって一致しているので、取付ねじ５の螺合によって取付治具１０がフランジ２ａに対して弛緩することはなく、むしろ強固に連結されることとなる。
【００１９】
下側のランナー３も同様に施工され、その後上下ランナー３，３間にスタッド６を固定する。そして、壁材７をスタッド６に接当させ、ネジを壁材７とスタッド６との双方に貫通させることで壁材７の取付が完了する。その後、天井用壁際材４を壁材７に接当させ、取付ねじ５を天井用壁際材４，壁材７，ランナー３と貫通させることでこれらを螺合固定する。
【００２０】
取付部１５とランナー３とは面接触した状態で取付ねじ５により互いに圧接されるように固定されているので、ランナー３に対して取付治具１０が相対回転するのは非常に困難である。また、ランナー３は長尺で複数箇所において取付治具１０と連結されているので、ランナー３自体がある取付ねじ５周りで傾くのも容易ではない。よって、上述の如き簡単な取付工事で済むにも拘わらず、ランナー３はＨ型鋼２に対して弛緩することなく強固に固定されることとなる。
【００２１】
次に、図５，６を参照しながら、本発明の第二実施形態について説明する。なお、上記第一実施形態と同様の部材には同様の符号を附してある。
【００２２】
本第二実施例は、Ｈ型鋼２の上側にランナー３を取り付けるための取付治具２０として例示されている。図５の梁周辺部下地構造１において、この取付治具２０も長尺であるＨ型鋼２の下側に間隔をおいて連結され、各取付治具２０の取付部２５に対して長尺のランナー３が取付ねじ５により締付固定されている。
【００２３】
取付治具２０はフランジ２ａ上に載置するものであって、掛止部２１による掛止の負担が小さいことから、ランナー３の長手方向に対して掛止部２１の部分が第一実施形態よりも短くなるように構成してあり、突起２４及び凹部２４ａも各掛止部２１について１箇所ずつのみ設けるに留めている。上方からの取付治具２０に対する荷重は接当部２２により主として支持される。掛止部２１，２１同士の対向部には切欠部２３をそれぞれ形成してあり、フランジ２ａをこれらの間に受け入れ可能としてある。上記第一実施形態の如く天井用壁際材４取付用の取付ねじ５との干渉を防ぐ必要はないので、側面２６を先の側部１６よりも伸長させてある。
【００２４】
図７に示す本発明の第三実施形態に係る取付治具３０では、上記第一実施形態に係る取付治具１０よりも側部１６，１６を上下に長くすることによって、この側部１６，１６に野縁８取付用の天井用壁際材４を取付ねじ５により直接取付可能に構成してある。また、取付部１５には先の第一実施形態よりも幅狭のランナー３とスタッド６とを取付けてある。野縁８の下面には壁材７と同様の天井材９を取付けてある。なお、この実施形態では側部１６に天井用壁際材４を取付けたが、上記第二実施形態の側面２６に長尺副構成材としての床用壁際材を取付けてもよい。
【００２５】
最後に、本発明のさらに別の実施の形態について列挙する。
上記各実施形態では、取付部１５，２５に対してランナー３を取付ねじ５により取り付けたが、リベットや溶接により取り付けても構わない。但し、設備等の取扱性や火災への配慮に鑑みれば、取付ねじ５を用いるのが最も合理的である。
【００２６】
上記各実施形態では、掛止部１１，２１に突起１４，２４を設けた。しかし、この突起の代わりに掛止部１１，２１にリブを設けてもよい。なお、掛止部１１，２１に突起１４，２４やリブ等の突出部を全く設けないことも可能であるが、回転時の摩擦抵抗が大きくなったり掛止時のがたつきが生じる虞があることから、突出部を設けることが望ましい。
【００２７】
上記実施形態では本治具１０，２０を金属材料で構成したが、強化樹脂等材料は適宜選択可能である。
【００２８】
上記各実施形態では、下面又は上面の取付部１５，２５のみに対して長尺部材を取り付けた。しかし、長尺部材は上述の側部１６，２６に対して取り付けることも可能である。
【００２９】
なお、特許請求の範囲の項に記入した符号は、あくまでも図面との対照を便利にするためのものにすぎず、この記入により本発明は添付図面の構成に限定されるものではない。
【図面の簡単な説明】
【図１】本発明にかかる建築用主構成材に対する長尺副構成材の取付治具をＨ型鋼に対して取り付けた状態を示す斜視図である。
【図２】取付治具の組み付け状態を示す梁周辺の壁上部における壁下地構造の断面図である。
【図３】取付治具をＨ型鋼に対して取り付けた状態を示す側面図である。
【図４】取付治具をＨ型鋼に対して取り付けた状態を示すＨ型鋼の一部を破砕した平面図である。
【図５】本発明の第二実施形態にかかる取付治具の組み付け状態を示す梁周辺の壁下部における壁下地構造の断面図である。
【図６】図５に示す取付治具の底面図である。
【図７】本発明の第三実施形態を示す図２相当図である。
【符号の説明】
１    梁周辺部下地構造
２    Ｈ型鋼（主構成材）
２ａ  フランジ
２ｂ  フランジ内面
２ｃ  フランジ外面
２ｄ  ウエブ
３    ランナー（長尺副構成材）
４    天井用壁際材（長尺副構成材）
５    取付ねじ
６    スタッド
７    壁材
８    野縁
９    天井材
１０    取付治具
１１    掛止部
１２    接当部
１３    切欠部
１４    突起
１４ａ  凹部
１５    取付部
１６    側部
２０    取付治具
２１    掛止部
２２    接当部
２３    切欠部
２４    突起
２４ａ  凹部
２５    取付部
２６    側面
３０    取付治具
Ｄ    フランジ外面への対向視
Ｒ    時計周り方向
Ｐ    交差軸。
【図１】
0004122110.tif 000002
【図２】
0004122110.tif 000003
【図３】
0004122110.tif 000004
【図４】
0004122110.tif 000005
【図５】
0004122110.tif 000006
【図６】
0004122110.tif 000007
【図７】
0004122110.tif 000008